(57)【要約】【課題】つなぎ合わせ部分の強度の改善を図るとともに、つなぎ合わせ部分から雨水が侵入しても速やかに外部へと排出できる嵌合式建材パネルを提案する。【解決手段】下継手の板状体を、該板状体の後端部でパネル本体の水下側に向けて上向きに折り返され、該板状体との相互間で水上側に隣接配置する他の建材パネルの上継手との嵌合空間を区画形成する第一の折り返し片と、該第一の折り返し片の先端部でパネル本体の水上側に向けて折り返され、該板状体の後端縁を通り越して伸延する第二の折り返し片とで構成し、第二の折り返し片の幅方向の端部に、第二のハゼの外壁側へ周り込んで浸入雨水の排出経路を形成する延長片を設ける。【選択図】  図１
2020186552.tif 000002
【特許請求の範囲】
【請求項１】
長手方向に沿って延伸する一対の長尺縁部とこれら各長尺縁部を挟み込み幅方向に沿って延伸する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の建材パネルの上継手に嵌合、引っ掛け、該上継手を、該パネル本体の水下側に隣接配置する他の建材パネルの下継手に嵌合、引っ掛けてパネル同士を長手方向へ接続する一方、該上ハゼ、下ハゼを、桁方向に隣接配置する別の建材パネルの下ハゼ、上ハゼにそれぞれ嵌合させてパネル同士を幅方向へ接続することにより建築構造物の屋根、壁を構築する嵌合式の建材パネルであって、
前記下継手は、該パネル本体の短尺縁部の全域にわたって面一状態でつながる板状体と、該板状体の幅方向の端縁および該上ハゼの端部につながるとともに水上側に隣接配置する他の建材パネルの上ハゼに嵌合可能な第一のハゼと、該板状体のもう一方の幅方向の縁部および該下ハゼの端部につながるとともに水上側に隣接配置する他の建材パネルの下ハゼに嵌合可能な第二のハゼとを有し、
前記上継手は、該パネル本体に面一状態で一体連結する第一の板状体と、該第一の板状体の幅方向の各端部および該上ハゼ、下ハゼにそれぞれ面一状態で一体連結する第三のハゼ、第四のハゼとを有し、
該下継手の板状体は、該板状体の後端部でパネル本体の水下側に向けて上向きに折り返され、該板状体との相互間で水上側に隣接配置する他の建材パネルの上継手との嵌合空間を区画形成する第一の折り返し片と、該第一の折り返し片の先端部でパネル本体の水上側に向けて折り返され、該板状体の後端縁を通り越して伸延する第二の折り返し片とを有し、
該上継手の第一の板状体は、該第一の板状体の先端部でパネル本体の水上側に向けて下向きに折り返されて隣接配置する他の建材パネルの下継手に嵌合、引っ掛け可能な第三の折り返し片を有し、
該第二の折り返し片の幅方向の端部に、第二のハゼの外壁側へ周り込んで浸入雨水の排出経路を形成する延長片を設けたことを特徴とする嵌合式建材パネル。
【請求項２】
前記第二のハゼは、該第二のハゼの内壁後端縁を起点に外壁側へと折り返され、内壁と外壁の相互間に形成される隙間を塞ぐ舌片を有することを特徴とする請求項１に記載した嵌合式建材パネル。
【請求項３】
前記第二の折り返し片、前記延長片は、その端縁を隆起させて浸入雨水の流出を阻止する堰を有することを特徴とする請求項１または２に記載した嵌合式建材パネル。
【請求項４】
前記第二の折り返し片、前記延長片は、堰を覆って連続的に伸延する止水用のパッキンを有することを特徴とする請求項３に記載した嵌合式建材パネル。
【請求項５】
前記第一のハゼ、前記第二のハゼおよび前記第二の折り返し片は、その外表面に、前記第一のハゼから前記第二のハゼに至るまでの間で連続的に伸延する止水用のパッキンを有することを特徴とする請求項１〜４のいずれか１項に記載した嵌合式建材パネル。
【発明の詳細な説明】
【技術分野】
【０００１】
本発明は、一般住宅や事務所、マンション、福祉施設、リゾート施設等の屋根や壁を構築するのに用いて好適な嵌合式建材パネルに関するものである。
【背景技術】
【０００２】
嵌合式の建材パネルは、従来、屋根材として広く用いられており、パネル本体の幅方向の端部に設けられた上ハゼ、下ハゼを、隣接配置する他の屋根材の下ハゼ、上ハゼにそれぞれ嵌合させることによりパネル同士をつなぎ合わせる施工が行われてきたが、近年では、さらに、パネル本体の長手方向に上継手、下継手を設け、水下側、水上側に隣接配置される屋根材との相互間で上継手、下継手をそれぞれ相互に嵌合させて屋根材同士を梁間方向につなぎ合わせる構造の屋根材も開発されてきており、この点に関する先行技術としては、例えば、特許文献１が参照される。
【０００３】
ところで、従来の上記嵌合式建材パネルは、パネルのつなぎ合わせ部分、とくに、長手方向（梁間方向）におけるつなぎ合わせ部分では、上継手と下継手との間にパッキン等の止水材が配置されていたとしても風の吹き込み状況や負圧に起因した形状変形によって雨水が浸入することがないとはいえず、さらなる改善の余地が残されている。
【先行技術文献】
【特許文献】
【０００４】
【特許文献１】特開２０１６−２０５１２０号公報
【発明の概要】
【発明が解決しようとする課題】
【０００５】
本発明の目的は、パネルのつなぎ合わせ部分での強度の改善を図ることにより負圧に起因した変形を抑制するとともに、雨水等が浸入することがあったとしても浸入した雨水を速やかに外部へと排出することができる嵌合式建材パネルを提案するところにある。
【課題を解決するための手段】
【０００６】
本発明は、長手方向に沿って伸延する一対の長尺縁部とこれら各長尺縁部を挟み込み幅方向に沿って伸延する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の建材パネルの上継手に嵌合、引っ掛け、該上継手を、該パネル本体の水下側に隣接配置する他の建材パネルの下継手に嵌合、引っ掛けてパネル同士を縦方向へ接続する一方、該上ハゼ、下ハゼを、隣接配置する別の建材パネルの下ハゼ、上ハゼにそれぞれ嵌合させてパネル同士を横方向へ接続することにより建築構造物の屋根、壁を構築する嵌合式の建材パネルであって、
前記下継手は、該パネル本体の短尺縁部の全域にわたって面一状態でつながる板状体と、該板状体の幅方向の端縁および該上ハゼの端部につながるとともに水上側に隣接配置する他の建材パネルの上ハゼに嵌合可能な第一のハゼと、該板状体のもう一方の幅方向の縁部および該下ハゼの端部につながるとともに水上側に隣接配置する他の建材パネルの下ハゼに嵌合可能な第二のハゼとを有し、
前記上継手は、該パネル本体に面一状態で一体連結する第一の板状体と、該第一の板状体の幅方向の各端部および該上ハゼ、下ハゼにそれぞれ面一状態で一体連結する第三のハゼ、第四のハゼとを有し、
該下継手の板状体は、該板状体の後端部でパネル本体の水下側に向けて上向きに折り返され、該板状体との相互間で水上側に隣接配置する他の建材パネルの上継手との嵌合空間を区画形成する第一の折り返し片と、該第一の折り返し片の先端部でパネル本体の水上側に向けて折り返され、該板状体の後端縁を通り越して伸延する第二の折り返し片とを有し、
該上継手の第一の板状体は、該第一の板状体の先端部でパネル本体の水上側に向けて下向きに折り返されて隣接配置する他の建材パネルの下継手に嵌合、引っ掛け可能な第三の折り返し片を有し、
該第二の折り返し片の幅方向の端部に、第二のハゼの外壁側へ周り込んで浸入雨水の排出経路を形成する延長片を設けたことを特徴とする嵌合式建材パネルである。
【０００７】
上記の構成からなる嵌合式建材パネルにおいては、
１．第二のハゼは、該第二のハゼの内壁後端縁を起点に外壁側へと折り返され、内壁と外壁の相互間に形成される隙間を塞ぐ舌片を有すること、
２．第二の折り返し片、前記延長片は、その端縁を隆起させて浸入雨水の流出を阻止する堰を有すること、
３．第二の折り返し片、前記延長片は、堰を覆って連続的に伸延する止水用のパッキンを有すること、
４．第一のハゼ、第二のハゼおよび第二の折り返し片は、その外表面に、第一のハゼから第二のハゼに至るまでの間で連続的に伸延する止水用のパッキンを有すること、
が課題解決のための具体的手段として好ましい。
【発明の効果】
【０００８】
本発明によれば、下継手を第一の折り返し片と第二の折り返し片とを備えた二重折り構造としたため、その部位の剛性を高めることが可能となり、建材パネルに負圧が作用しても簡単に変形することがなく、建材パネルの変形に由来する雨水の浸入を回避することができる。
【０００９】
また、本発明によれば、第二の折り返し片に、第二のハゼの外壁側へと周り込む延長片を設けたため、建材パネルのつなぎ合わせ部分からたとえ雨水が浸入することがあったとしても、浸入雨水を下ハゼの外側に設けられたビス止め片へと誘導することが可能となり、そのビス止め片を樋として利用して雨水を軒先等から速やかに排出することができる。
【図面の簡単な説明】
【００１０】
【図１】本発明にしたがう嵌合式建材パネルの実施の形態をその全体について示した外観斜視図である。
【図２】（ａ）は、図１のＡ−Ａ断面を拡大して示した図であり、（ｂ）は、図１のＢ−Ｂ断面を示した図である。
【図３】図１に示した嵌合式建材パネルを下継手側から見た外観斜視図である。
【図４】下継手を展開状態で示した外観斜視図である。
【図５】下継手を展開状態で示した外観斜視図である。
【図６】第三の折り返し片の断面形状を示した図である。
【図７】第三の折り返し片の他の断面形状を示した図である。
【図８】本発明にしたがう嵌合式建材パネルの他の実施の形態を一部分について示した外観斜視図である。
【図９】建材パネルのつなぎ合わせ状況を示した断面図である。
【図１０】本発明にしたがう嵌合式建材パネルを縦方向（梁間方向）につなぎ合わせる状況を示した図である。
【図１１】本発明にしたがう嵌合式建材パネルを幅方向（桁方向）につなぎ合わせる状況を示した図である。
【図１２】本発明にしたがう嵌合式建材パネルの他の実施の形態を示した図である。
【発明を実施するための形態】
【００１１】
以下、図面を参照して、本発明をより具体的に説明する。図１は、本発明にしたがう嵌合式建材パネルの実施の形態をその全体について示した外観斜視図であり、図２（ａ）（ｂ）は、図１のＡ−Ａ断面、Ｂ−Ｂ断面をそれぞれを拡大して示した図であり、図３は、図１に示した嵌合式建材パネルを下継手側から見た外観斜視図であり、図４、図５は、下継手を展開状態で示した外観斜視図である。
【００１２】
本発明にしたがう嵌合式建材パネルは、屋根を葺きあげる場合、壁を構築する場合のいずれにおいても、下継手が設けられた側を水上側に向け、上継手が設けられた側を水下側に向けて配置するものとする。
【００１３】
建築構造物の屋根、壁を構築するにあたっては、本発明にしたがう建材パネルと同じ構成からなる建材パネルを複数枚用いることを前提としており、隣接配置する他の建材パネル、隣接配配置する別の建材パネルについても本願発明にしたがう建材パネルと同じ構成からなるものを用いる。また、建材パネルを構成する素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等を用いることができる。
【００１４】
図１〜５における符号１は、パネル本体である。パネル本体１は、長手方向に沿って延伸する一対の長尺縁部１ａ、１ｂと、これら長尺縁部１ａ、１ｂを挟み込んで幅方向に沿って延伸する一対の短尺縁部１ｃ、１ｄによって区画された、全体として矩形状をなす輪郭形状を有している。
【００１５】
また、２は、パネル本体１の長尺縁部１ａに一体連結するとともに、幅方向の一方に隣接配置する別の建材パネルの下ハゼに嵌合してパネル同士を接続する上ハゼである。
【００１６】
上ハゼ２は、長尺縁部１ａから立ち上がる傾斜側板２ａと、この傾斜側板２ａの上端に係止顎部ｔ１を介してつながるとともに、桁方向に隣接配置する別の建材パネルの下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の建材パネルの下ハゼに嵌合させた際に、その相互間で面接触するのを避けて雨水の侵入を防止することができるようになっている。
【００１７】
また、３は、パネル本体１の長尺縁部１ｂに一体連結するとともに、横方向のもう一方に隣接配置する別の建材パネルの下ハゼに嵌合してパネル同士を接続する下ハゼである。
【００１８】
この下ハゼ３は、長尺縁部１ｂから立ち上がる側板３ａと、この側板３ａの上端に係止顎部ｔ３を介してつながるとともに、横方向に隣接配置する他の建材パネルの上ハゼに嵌合可能な先端先細り形状をなすドーム型の頭部３ｂと、この頭部３ｂに係止顎部ｔ４介して垂下、保持され、側板３ａとの相互間にて下開き開口を形成する側板３ｃと、この側板３ｃの下端に水平姿勢でもって一体的につながるビス止め片３ｄから構成されている。
【００１９】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００２０】
４は、パネル本体１の短尺縁部１ｃに設けられた下継手である。この下継手４は、水上側に隣接配置する他の建材パネルの上継手の下側において重ね合わさるものであって、パネル本体１の短尺縁部１ｃの全域にわたって面一状態でつながる板状体４ａと、この板状体４ａの幅方向の端縁および上ハゼ２の端部につながるとともに水上側に隣接配置する他の建材パネルの上ハゼ（上継手の第三のハゼに相当するもの）に嵌合可能な第一のハゼ４ｂと、該板状体４ａのもう一方の幅方向の縁部および下ハゼ３の端部においてつながるとともに水上側に隣接配置する他の建材パネルの下ハゼ（上継手の第四のハゼに相当するもの）に嵌合可能な第二のハゼ４ｃとから構成されている。第二のハゼ４ｃの下端には、下ハゼ３のビス止め片３ｄに同一平面でつながる舌片４ｄを設けておくことができる。
【００２１】
下継手４の板状体４ａは、該板状体４ａの後端部でパネル本体１の水下側に向けて上向きに折り返され、該板状体４ａとの相互間で水上側に隣接配置する他の建材パネルの上継手との嵌合、引っ掛け空間Ｍを区画形成する第一の折り返し片４ａ１と、該第一の折り返し片４ａ１の先端部でパネル本体１の水上側に向けて折り返され、該板状体４ａの後端縁を通りこして伸延する第二の折り返し片４ａ２とを有しており、これにより下継手４は、二重折り構造となりその部位の剛性を高めることができるようになっている。
【００２２】
第二の折り返し片４ａ２は、その中間部分に曲げ加工を施して段下がりをなす断面形状としたものを例として示したが、該第二の折り返し片４ａ２は、平坦な板状のものを適用することも可能であり、図示のものに限定されない。
【００２３】
また、符号５は、第二の折り返し片４ａ２の幅方向の端部に連続して設けられ、浸入雨水の排出経路を形成する延長片である。この延長片５は、第二の折り返し片４ａ２と同一平面でつながり、その境界Ｐに設けられた切欠き部５ａに第二のハゼ４ｃを差し入れることにより第二のハゼ４ｃの外壁側へ周り込むようになっており、切欠き部５ａにより形成された舌片５ｂがビス止め片３ｄの上に重なるように配置されている。
【００２４】
建材パネルのつなぎ合わせ部分において、第二の折り返し片４ａ２を通って建材パネルの内側に雨水が浸入した場合、その浸入雨水は、図１の矢印に示すように、延長片５によりビス止め片３ｄへと誘導され、該ビス止め片３ｄに沿って流下することにより外部へと排出される。
【００２５】
下継手４は、基本的には、ロール成形によりパネル本体１、上ハゼ２、下ハゼ３と同一断面形状に形成したのち、プレス成形による絞り加工を施すことによって成形されるが、その際、延長片５は、下継手４との境界Ｐを境にして内側、すなわち、下継手４側に折り畳んでおくことになる。
【００２６】
下継手４の幅寸法は、水上側に隣接配置する他の建材パネルとのつなぎ合わせに際して相互に確実に重ね合わせることができるように、水上側に隣接配置する他の建材パネルのパネル本体の幅寸法（実際には上継手の幅寸法）よりも若干広くしておくのが好ましい。
【００２７】
また、符号６は、パネル本体１のもう一方の短尺縁部１ｄに設けられた上継手（屋根の水下側に配置される）である。この上継手６は、パネル本体１と面一状態でつながり、水下側に隣接配置する他の建材パネルの短尺縁部（下継手に相当する部分）の上側において重ね合わさるものである。
【００２８】
上継手６は、パネル本体１に面一状態で一体連結する第一の板状体６ａと、この第一の板状体６ａの幅方向の各端部および上ハゼ２、下ハゼ３にそれぞれ面一状態で一体連結する第三のハゼ６ｂ、第四のハゼ６ｃとを備えており、第一の板状体６ａには、該第一の板状体６ａの先端部でパネル本体１の水上側に向けて下向きに折り返されて隣接配置する他の建材パネルの下継手に嵌合、引っ掛け可能な第三の折り返し片６ｄが設けられている。
【００２９】
第三の折り返し片６ｄは、図６に示すように、第一の板状体６ａに対して１８０°曲げとなるように折り返しておくことができるが、例えば図７に示すように、建材パネルのつなぎ合わせ作業に際して第三の折り返し片６ｄを下継手４に向けて押圧することにより１８０°曲げとなるように、その曲げ角度を、第一の板状体６ａに対して０°超〜４５°の角度に設定しておいてもよく、曲げ角度を０°超〜４５°としておくことにより、第一の板状体６ａと第三の折り返し片６ｄとの間隔が拡大されるため建材パネルのつなぎ合わせ作業を効率よく行うことができる。
【００３０】
また、符号７は、第二のハゼ４ｃに設けられた舌片である。舌片７は、図５に示すように、第二のハゼ４ｃの内壁４ｃ１の後端縁に縦状につながっており、それを外壁４ｃ２側へと折り返し内壁４ｃ１と外壁４ｃ２との間に形成される隙間ｄを塞ぐことにより浸入雨水の該隙間ｄからの流れ込みを回避することできるようになっている。
【００３１】
隙間ｄには、シール材を充填しておくことができ、また、舌片７の裏面には、シール材を貼着しておくことができる。
【００３２】
また、符号８は、第二の折り返し片４ａ２、延長片５の端縁を、例えば、曲げ加工により折り返すことによって隆起させた堰である。この堰８は、侵入雨水を、第二の折り返し片４ａ２、延長片５の外側へと流出するのを阻止する機能を有している。
【００３３】
上記の構成からなる嵌合式建材パネルは、下継手４が二重折り構造になっており、その部位が高い強度を有しているため負圧に起因した変形を起し難く、また、建材パネルのつなぎ合わせ部分から雨水が浸入することがあったとしても、その浸入雨水を効率よく外部へと排出することができる。
【００３４】
なお、図８に示すように、第二の折り返し片４ａ２、延長片５には、堰８を覆って連続的に伸延する止水用のパッキン９を設けることができ、また、第一のハゼ４ｂ、第二のハゼ４ｃおよび第二の折り返し片４ａ２の外表面には、第一のハゼ４ｂから第二のハゼ４ｃに至るまでの間で連続的に伸延する止水用のパッキン１０を設けることもでき、パネル同士をつなぎ合わせた際にパッキン９、１０を押し潰すことにより屋根、壁の止水性をより一層高めることが可能となる。
【００３５】
本発明にしたがう嵌合式建材パネルを長手方向においてつなぎ合わせるには、図９、図１０に示すように、下継手４に水上側において隣接配置する他の建材パネルの上継手６の第三の折り返し片６ｄ′を嵌合、引っ掛けるとともに、下継手４の第一のハゼ４ｂを、水上側において隣接配置する他の建材パネルの上継手６′の第三のハゼ６ｂ′に、また、下継手４の第二のハゼ４ｃを、該水上側において隣接配置する建材パネルの上継手６′の第四のハゼ６ｃ′にそれぞれ嵌合させる一方、上継手６の第三のハゼ６ｂを、水下側において隣接配置する他の建材パネルの下継手４′の第一のハゼ４ｂ′に、また、上継手６の第四のハゼ６ｃを、水下側において隣接配置する他の建材パネルの下継手４′の第二のハゼ４ｃ′に嵌合させればよい。
【００３６】
また、本発明にしたがう嵌合式建材パネルを幅方向につなぎ合わせるには、図１１に示すように、下ハゼ３を、隣接配置する別の建材パネルの上ハゼ２′′を嵌合させ、上ハゼ２を、隣接配置する別の建材パネルの下ハゼ３′′に嵌合させればよく、この作業を、長手方向でのつなぎ合わせ作業と並行して行うことにより建築構造物の屋根、壁を構築することができる。本発明にしたがう嵌合式建材パネルを屋根材として使用する場合には、アスファルトルーフィングを施した野地板に固定され、本発明にしたがう嵌合式建材パネルを壁材として使用する場合には、横胴縁に固定される。
【００３７】
延長片５については、第二の折り返し片４ａ２の幅方向の端部に連続して設けられたもの、すなわち、一体連結したもの（同一板）を適用することができるが、図１２に示すように、折り返し部を有する板状体１１を、第二の折り返し片４ａ２の幅方向の端部に取り付けで構成することも可能であり、この場合、板状体１１は、堰８およびビス止め片３ｄの折り返し部の内側に巻き込むことにより固定するのが好ましい。
【産業上の利用可能性】
【００３８】
本発明によれば、建材パネルのつなぎ合わせ部分の強度の改善を図ることが可能であり、かつ、建材パネルのつなぎ合わせ部分から雨水が浸入することがあったとしても浸入雨水を速やかに排出し得る止水性の高い嵌合式建材パネルが提供できる。
【符号の説明】
【００３９】
１      パネル本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    ビス止め片
４      下継手
４ａ    板状体
４ｂ    第一のハゼ
４ｃ    第二のハゼ
４ｄ    舌片
５      延長片
５ａ    切欠き部
５ｂ    舌片
６      上継手
６ａ    第一の板状体
６ｂ    第三のハゼ
６ｃ    第四のハゼ
６ｄ    第三の折り返し片
７      舌片
８      堰
９      止水用のパッキン
１０    止水用のパッキン
１１    板状体
Ｐ      境界
Ｍ      嵌合空間
【図１】
2020186552.tif 000003
【図２】
2020186552.tif 000004
【図３】
2020186552.tif 000005
【図４】
2020186552.tif 000006
【図５】
2020186552.tif 000007
【図６】
2020186552.tif 000008
【図７】
2020186552.tif 000009
【図８】
2020186552.tif 000010
【図９】
2020186552.tif 000011
【図１０】
2020186552.tif 000012
【図１１】
2020186552.tif 000013
【図１２】
2020186552.tif 000014